(57)【要約】【課題】  実用性と装飾性を兼ね備えたテーブルの提供【解決手段】  本考案であるこのテーブルは、サンドイッチ層式設計を用いて、テーブル面の下方にサンドイッチ層空間を有し、その内に観賞を提供する各種物品を置くことができ、例えば水族生物の飼育、野菜・果物の栽培、或いは、コレクション品の陳列であり、テーブル面は透明な平板で、利用者が俯瞰角度でサンドイッチ層内の物品を観賞することを提供できる。その他、前記テーブル面は可動式設計で、テーブル面とテーブル本体の連接箇所において油圧支持棒、或いは、スライドレール方法によって連接し、利用者がサンドイッチ層内の陳列物を整理するため、テーブル面が容易に開く、或いは、移動させ、且つ、固定することができる。【選択図】    図１
0003138291.tif 000002
【実用新案登録請求の範囲】
【請求項１】
観賞用テーブルであって、
透明エリアを具備する可動式テーブル面と、
テーブル面と連接すると共にサンドイッチ層を具備するテーブル本体、及び、
サンドイッチ層内部に位置する容器を含み、
前記容器は生物飼育環境、或いは、物品設置空間を提供することを特徴とする、観賞用テーブル。
【請求項２】
請求項１に記載の観賞用テーブルにおいて、前記可動式テーブル面とテーブル本体の連接箇所には少なくとも１本の支持棒、或いは、少なくとも１つのスライドレールを通じて相互に連接することを特徴とする、観賞用テーブル。
【請求項３】
請求項２に記載の観賞用テーブルにおいて、前記支持棒は油圧支持棒、或いは、ほぞ式支持棒で、テーブル面を開いた後で固定させることができることを特徴とする、観賞用テーブル。
【請求項４】
請求項２に記載の観賞用テーブルにおいて、前記テーブル面はスライドレールに沿って平行に移動、並びに、前記スライドレール上に固定させることを特徴とする、観賞用テーブル。
【請求項５】
請求項１に記載の観賞用テーブルにおいて、前記テーブル本体内に電源コンセントを設置すること特徴とする、観賞用テーブル。
【請求項６】
請求項１に記載の観賞用テーブルにおいて、前記テーブル本体にはテーブル脚も含むことを特徴とする、観賞用テーブル。
【請求項７】
請求項６に記載の観賞用テーブルにおいて、前記テーブル脚は取り外し可能式テーブル脚であることを特徴とする、観賞用テーブル。
【請求項８】
請求項６に記載の観賞用テーブルにおいて、前記テーブル脚の下方に脚ベース部を設けることを特徴とする、観賞用テーブル。
【請求項９】
請求項１に記載の観賞用テーブルにおいて、前記サンドイッチ層の周囲に蛍光管を設けることを特徴とする、観賞用テーブル。
【請求項１０】
請求項１に記載の観賞用テーブルにおいて、前記容器が床からある程度離れていることを特徴とする、観賞用テーブル。
【請求項１１】
請求項１に記載の観賞用テーブルにおいて、前記容器が透明な材質であることを特徴とする、観賞用テーブル。
【請求項１２】
請求項１に記載の観賞用テーブルにおいて、前記容器底部に排水管を設けることを特徴とする、観賞用テーブル。
【請求項１３】
請求項１に記載の観賞用テーブルにおいて、前記観賞用テーブルは生命維持システムを更に含むことを特徴とする、観賞用テーブル。
【請求項１４】
請求項１３に記載の観賞用テーブルにおいて、前記生命維持システムは、浄水器、給水器、或いは、循環濾過設備であることを特徴とする、観賞用テーブル。
【請求項１５】
請求項１に記載の観賞用テーブルにおいて、前記テーブル面は不透明エリア、或いは、半透明エリアを更に含むことを特徴とする、観賞用テーブル。
【請求項１６】
請求項１５に記載の観賞用テーブルにおいて、前記不透明、或いは、半透明エリア上に絵、標識、或いは、トーテムのパターンを設置することを特徴とする、観賞用テーブル。
【請求項１７】
請求項１に記載の観賞用テーブルにおいて、前記テーブルは長方形、正方形、菱形、楕円形、或いは、丸形を呈することを特徴とする、観賞用テーブル。
【考案の詳細な説明】
【技術分野】
【０００１】
本考案は、内部に物品を展示できる観賞用テーブルに関り、特に、生態景観の観察に用いる生態観賞テーブルに関る。
【背景技術】
【０００２】
テーブルは日常生活にも不可欠の家具であり、従来市販されているテーブルにも、主に材質及び外観上に変化が起き、技術の絶え間ない進歩を経て、現在、生物の飼育及び景観の観賞という新しい観念を結合する家具が登場し、生態観賞テーブルと呼ばれる。
【０００３】
生態観賞テーブルは、一般的なテーブルの機能を具える以外に、水槽或いはその他タイプの類似する容器構造を具備し、またこの容器は通常透明な外壁を具え、利用者は例えば魚の飼育、盆栽の設置などといったこの容器内に景観を飾り付けることができ、また個人の好みでその他の造景も陳列できる。生態観賞テーブルはまた有効的に空間を利用して、水槽の別途陳列を省くことができ、テーブル内のサンドイッチ層を物品収納として使用することができるため、家庭、オフィス、喫茶店、レストラン或いはホテル等を問わず応用できる幅が非常に広く、且つ生態観賞テーブル内で魚を飼育するのが造景できる以外に、富が絶え間なく入ってくるという象徴とすることができる。これにより、各種革新的な概念を備えた生態観賞テーブルは、いずれも非常に大きなビジネスチャンスを持っている。
【０００４】
現在市販されている生態観賞テーブルは非常に多くの種類があるが、大部分は魚の飼育が主で、これにより例えば噴水管、中空管、水槽、水中ポンプ及びフィルター等といった付属品を追加されるので、その容器深度が通常でも地面まで伸びてしまい、テーブル本体が明らかに重くなってしまう。その他、利用者がテーブル側に座った時も、脚をテーブル面の下までに伸ばすことができないため、利用者が不快と感じてしまう。且つ、容器の形状も魚の飼育以外の用途に適さなくなるため、生態観賞テーブルの機能が容易に制限されてしまう。更に、多くの市販されている生態観賞テーブルの容器開口部が小さいため、清掃し難く、また比較的大型の物品を設置し難くなってしまう。
【０００５】
前述に鑑み、本考案の考案者はこの製品を設計して、現有技術の不足を克服した。
【考案の開示】
【考案が解決しようとする課題】
【０００６】
本考案の主な目的は、透明エリアを備える可動式テーブル面と、テーブル面と連接すると共にサンドイッチ層を備えたテーブル本体、及びサンドイッチ層内部に位置する容器を含み、前記容器は生物の飼育環境或いは物品の設置空間を提供し、前記可動式テーブル面とテーブル本体の連接箇所は、少なくとも１本の支持棒或いは少なくとも１つのスライドレールを通じて相互に連接する観賞用テーブルを提供することにある。
【課題を解決するための手段】
【０００７】
本考案の実施例において、前記支持棒は油圧支持棒或いはほぞ式支持棒で、テーブル面を開いた後も固定させることができる。若しくはも別の実施方法において、前記テーブル面がスライドレールに沿って平行に移動し、並びに前記スライドレール上に固定する。前記支持棒或いはスライドレールは1個以上とすることができ、こうすることでテーブル面の固定を更に堅固にさせることができる、或いは更にテーブル面の固定に便利である。
【０００８】
本考案の更なる別の実施方法において、前記サンドイッチ層の周囲に蛍光管も設置することができ、前記テーブル本体内に電源コンセントを設ける。好しくは、前記容器は床置式ではないものとする。容器内の景観を観賞するため、更に一歩進んで、前記容器の外壁は透明な材質からなる。本考案を更に完璧にさせて、容器内の水位を制御するため、その底部にも排水管を設ける。
【０００９】
本考案のその他実施方法において、前記テーブル本体は、テーブル脚を更に含む。更に一歩進んで、前記観賞用テーブルには生命維持システムを含む。好しくは、前記生命維持システムは浄水器、給水器或いは循環濾過設備とする。本考案を更に美しくするため、前記テーブル面は不透明エリア或いは半透明エリアを更に含む。好しくは、前記不透明或いは半透明エリア上に絵、標識或いはトーテムのパターンを設ける。
【００１０】
その他、本考案のテーブル本体は、任意の形状を呈することができ、好しくは、長方形、四方形、菱形、楕円形或いは丸形を呈する。
【００１１】
本考案は、可動式テーブル面の設計を用いているため、テーブル面とテーブル本体を分離させ、またテーブル面とテーブル本体の連接箇所で油圧支持棒或いはスライドレール方法によって連接し、テーブル面を容易に開く或いは移動させることができ、テーブル面下のサンドイッチ層空間を完全に暴露させることで、利用者の洗浄が便利となり、また物品の設置及び取出しにも便利になる。
【００１２】
その他、本考案はサンドイッチ層の高度を短縮しているため、利用者がテーブル側に座った時でも、脚をテーブル面下方の位置に置くことができることで、利用者が更に快適になる。且つ本考案は多機能の生態観賞テーブルを提供し、テーブル面下方のサンドイッチ層の周囲空間に任意の色の蛍光管を設置することができ、またサンドイッチ層の空間に異なる色の光を具備させることで、更に美観性を向上できる。
【００１３】
本考案の容器は、動物を飼育できる以外に、また水生植物や陸生植物や野菜の栽培、コレクション品の陳列、或いはミニチュアの山水風景を飾り付けることができるため、生活に楽しみが加わる。容器内の物品が盗難に遭わないように、本考案のサンドイッチ層に施錠することができる。
【００１４】
本考案で提供する多機能の生態観賞テーブルは、物体を観賞する俯瞰性、つまり上から下への観賞の特性を強調するため、市販されている生態観賞テーブルとは異なる。
【００１５】
以下実施例で更に一歩進んで本考案を説明する。これら実施例は本考案を説明し、並びに本考案の特定実施例の各種長所を解明するだけであって、本考案が当該方法にのみに限定されることがない。
【００１６】
図１は、本考案の構造図である。主体は４脚の長テーブルで、テーブル面１１０、テーブル本体及びテーブル脚１４１を含む。テーブル本体は、外壁１４０、サンドイッチ層１３０及び容器底部に設置する調整可能型排水管１３２を含み、前記サンドイッチ層１３０は透明容器である。テーブル面１１０の中心は透明なガラス或いはアクリルからなり、また閉鎖可能型給餌穴１１１を有し、もしも利用者がこの生態観賞テーブルで魚、両生類、昆虫、爬虫或いはその他の動物を飼育する場合、この穴から餌を与えることができる。利用者がテーブル面を開くため、テーブル面とテーブル本体間は油圧支持棒１２０及び油圧支持棒の連接板１１３を通じて連接する。サンドイッチ層内の空間で魚、昆虫、爬虫類或いはその他動物を飼育して観賞することができ、また植物或いは小型水耕作物も栽培できる。利用者が宴席で客を接待する時、面白みを増すため直接テーブル面を開いて野菜を収穫して食べることができる。
【００１７】
本考案の支持棒１２０は、油圧方法或いはほぞ方法で呈現でき、油圧式支持棒は利用者が容易にテーブル面を開くと共に固定させることができる。ほぞ式支持棒はテーブル面を開く時自動的に特定のほぞ位置に滑り込んで固定され、これにより利用者はテーブル面を特定の角度に固定してサンドイッチ層容器内に物品陳列の利便性を与える。その他、本考案の支持棒にも別のスライドレール（図に未表示）で代用することで、テーブル面を平行に押す方法で移動するスライド式携帯電話と同様なもので、折り畳み式ではない。このように利用者が容器空間を整理する時でも、先にテーブル上に置いた物品を取り去る必要がない。
【００１８】
利用者が各種用途の応用をさせるため、テーブル本体内部に仕切り空間１３１及び隠蔽型電源コンセントも設計し、テーブル本体に外付けていた電器、例えば光源、水族飼育器材等の設備電線を更に引き出して他の電源コンセントを差し込む必要なく、テーブル全体の美観を損なうことを避けることができる。
【００１９】
仕切り空間１３１内に任意の色の蛍光管を設置することで、容器内に異なる色の光を具備させることができる。容器１３０下方に交さ筋かい（図に未表示）を設けることで、上方容器の重量を支えることができる。
【００２０】
その他、運搬と収納の利便性のため、テーブル脚１４１は容易な取り外し式の設計を用い、またテーブル本体の外壁１４０をアルミ合金で造ることで、全体重量を削減できるが構造の堅硬度を失うことは無い。テーブル本体を更に安定させるため、テーブル脚の下方に脚ベース部1４２を追加する。
【００２１】
図２は、本考案内の容器１３０及び排水管１３２等の部品見取図である。前記容器１３０は容器外壁２２０及び容器底部２２３で構成する。排水管１３２の付近で仕切り板２２１及び押さえ板２２２で構成されるサンドイッチ層空間を設置でき、前記仕切り空間に濾過装置を設置し、且つサンドイッチ層底部に排水管１３２を設けることができる。前記排水管は摺動方法で水位の高度を調整し、排水管と容器底部のインターフェース箇所でゴム輪２１０で接合することで、液体の漏出を避ける。利用者が本考案を利用して生物を飼育する時、容器内に設けているサンドイッチ層空間に、例えば浄水器、給水器或いは循環濾過設備等といった必要な生命維持システムを設置することで、動植物をその内部で生長させることができる。
【００２２】
本考案のサンドイッチ層１３０はコレクション品を展示することにも用いることができ、展示品を強調するため、仕切り空間１３１に蛍光管を設置できる。その他にもボタンによる点灯の指示装置を追加設置することができ、つまりテーブル面上にボタンを追加設置し、押圧した後、サンドイッチ層の特定エリアに取り付けられたランプが点灯して識別できる。
【００２３】
テーブル本体の美観性を更に向上させ、及び油圧式支持棒と露出したくないところを遮蔽するため、テーブル面に不透明或いは半透明エリア１１４を提供でき、前記エリアは顧客のニーズに応じて各種の色をデザインし、これには銀色、金色、木目色、七色或いは虹色を含むがこれに限定されることがない。同時に前記エリアは顧客のニーズに応じて絵、標識或いはトーテムのパターン等を含むがこれに限定されることなく設置することで、テーブル本体を周囲の環境に合わせて全体の景観創造について心や目を更に楽しませることができる。
【００２４】
本考案のその他実施例において、テーブル本体は正方形、菱形、楕円形或いは丸形を呈することができる。
【００２５】
本考案では具体的な実施例を前述の通り開示したが、これらは決して本考案に限定するものではなく、任意の本考案の使用方法は本考案の精神と領域を逸脱しない範囲内で多くの改変を施し得るのはもちろんである。従って本考案明の保護範囲は、実用新案請求の範囲で指定した内容を基準とする。
【図面の簡単な説明】
【００２６】
【図１】本考案の生態観賞テーブルの構造図である。
【図２】本考案の生態観賞テーブル内の容器及び排水管の構造見取図である。
【図３】本考案の生態観賞テーブルの使用状態図である。
【符号の説明】
【００２７】
１１０  テーブル面
１１１  給餌穴
１１２  テーブル面の透明エリア
１１３  油圧支持棒の連接板
１１４  テーブル面の不透明エリア
１２０  油圧支持棒
１３０  容器
１３１  仕切り空間
１３２  調整可能型排水管
１４０  テーブル本体の外壁
１４１  取り外し可能式テーブル脚
１４２  脚ベース部
２１０  ゴム輪
２２０  容器外壁
２２１  仕切り版
２２２  押さえ板
２２３  容器底部
【図１】
0003138291.tif 000003
【図２】
0003138291.tif 000004
【図３】
0003138291.tif 000005